(57)【要約】【課題】嵌合の際の挿入力を低くするとともに、嵌合後のハウジングガタ付きを抑えることを可能とするコネクタを提供する。【解決手段】遊動規制突条２４には、可撓性と弾力性とを有する部分が形成されている。この可撓性と弾力性とを有する部分を挿入力低減部３１とすると、挿入力低減部３１は雄コネクタハウジングが先ずはじめに当接する遊動規制突条２４の前部と、雄コネクタハウジングが通過する遊動規制突条２４の中間部とにわたって形成されている。挿入力低減部３１は、雄コネクタハウジングとの嵌合作業を開始する時点からこの挿入力低減部３１自体が撓み、これによって雄コネクタハウジングが低い挿入力で嵌合筒部２２に対し嵌合するようになっている。また、挿入力低減部３１は、撓んだままにならず元の状態に戻ろうとする力を有しており、この力によって雄コネクタハウジングを押さえ付けることができるようになっている。【選択図】図１
2008130467.tif 000002
【特許請求の範囲】
【請求項１】
互いに嵌合可能な二つのコネクタハウジングの一方に、嵌合後のハウジングガタ付きを規制する遊動規制突条を複数有するコネクタにおいて、
他方のコネクタハウジングが先ずはじめに当接する前記遊動規制突条の前部、該前部と前記他方のコネクタハウジングが通過する前記遊動規制突条の中間部、前記遊動規制突条の全体、のいずれかに可撓性と弾力性とを持たせる
ことを特徴とするコネクタ。
【請求項２】
請求項１に記載のコネクタにおいて、
前記遊動規制突条とは別で後方にずれた位置に、全体に剛性のある第二遊動規制突条を更に複数有する
ことを特徴とするコネクタ。
【請求項３】
請求項１又は請求項２に記載のコネクタにおいて、
前記他方のコネクタハウジングの嵌合用ガイドリブを案内するための前記一方のコネクタハウジングのガイドリブ案内溝にも前記遊動規制突条を形成する
ことを特徴とするコネクタ。
【発明の詳細な説明】
【技術分野】
【０００１】
本発明は、コネクタハウジングにガタ付き防止のための遊動規制突条を有するコネクタに関する。
【背景技術】
【０００２】
下記特許文献１には、コネクタハウジングにガタ付き防止のための遊動規制突条を有するコネクタの技術が開示されている。以下、図面を参照しながらこのコネクタについて説明する。図６及び図７において、雌コネクタハウジング１は、雄コネクタハウジング２の差し込みにより嵌合が生じる筒状の嵌合筒部３を有している。この嵌合筒部３の内周面には、雄コネクタハウジング２を圧入状態にする遊動規制突条４が複数形成されている。
【０００３】
遊動規制突条４は、嵌合筒部３の開口縁から奥壁まで真っ直ぐに伸びるように形成されている。遊動規制突条４は、正面から見た時の形状が略台形となるように形成されている。遊動規制突条４は、この全体が剛性を有する硬いものとなっている。遊動規制突条４は、嵌合する雄コネクタハウジング２のガタ付きを規制するために複数形成されている。遊動規制突条４は、嵌合筒部３と雄コネクタハウジング２とのクリアランスよりも若干大きく内周面から突出するように形成されている。遊動規制突条４は、図示の如くの四箇所の位置に配置形成されている。
【０００４】
引用符号５は雄コネクタハウジング２の嵌合用ガイドリブ、引用符号６はこの嵌合用ガイドリブ５を案内するためのガイドリブ案内溝、引用符号７は雄コネクタハウジング１のロックアーム、引用符号８はロックアーム７を係止させるためのロック部をそれぞれ示している。遊動規制突条４は、図面から分かるようにガイドリブ案内溝６及びロック部８を除く位置に配置形成されている。
【０００５】
上記構造において、雄コネクタハウジング２を雌コネクタハウジング１の嵌合筒部３に差し込んで嵌合作業を行うと、雄コネクタハウジング２が遊動規制突条４の存在により圧入状態になる。これにより、嵌合後のハウジングガタ付きが抑えられる。雄コネクタハウジング２のガタ付きが抑えられると、雄雌の端子金具の接続状態に悪影響が及ばないようになる。また、異音の発生が抑えられるようになる。
【特許文献１】特開２００４−２９６４５２号公報
【発明の開示】
【発明が解決しようとする課題】
【０００６】
上記従来技術にあっては、雌コネクタハウジング１の嵌合筒部３と雄コネクタハウジング２とのクリアランスよりも若干大きく突出するように遊動規制突条４が形成されることから、雄コネクタハウジング２を雌コネクタハウジング１の嵌合筒部３に差し込んで嵌合作業を開始する時点から挿入力が高くなってしまうという問題点を有している。また、挿入力が高いと嵌合作業の際に雄コネクタハウジング２を強く押し込む必要性があり、押し込みの勢いと作用の方向によっては遊動規制突条４に削れが生じてしまうという問題点も有している。遊動規制突条４に削れが生じた場合には、ガタ付き防止の役目を十分に果たすことができなくなってしまうことになる。
【０００７】
本発明は、上述した事情に鑑みてなされたもので、嵌合の際の挿入力を低くするとともに、嵌合後のハウジングガタ付きを抑えることを可能とするコネクタを提供することを課題とする。
【課題を解決するための手段】
【０００８】
上記課題を解決するためになされた請求項１記載の本発明のコネクタは、互いに嵌合可能な二つのコネクタハウジングの一方に、嵌合後のハウジングガタ付きを規制する遊動規制突条を複数有するコネクタにおいて、他方のコネクタハウジングが先ずはじめに当接する前記遊動規制突条の前部、該前部と前記他方のコネクタハウジングが通過する前記遊動規制突条の中間部、前記遊動規制突条の全体、のいずれかに可撓性と弾力性とを持たせることを特徴としている。
【０００９】
このような特徴を有する本発明によれば、嵌合作業を開始する時点から一方のコネクタハウジングの遊動規制突条が撓み、これによって他方のコネクタハウジングは低い挿入力で一方のコネクタハウジングに対し嵌合する。遊動規制突条は弾力性を有することから、他方のコネクタハウジングに接触した状態が続きガタ付きが抑えられる。遊動規制突条は、撓んだままにならず元の状態に戻ろうとする力を有し、この力で他方のコネクタハウジングを押さえ付ける。
【００１０】
可撓性と弾力性とがある部分の後方に剛性のある部分を設ける場合には、この剛性のある部分によって他方のコネクタハウジングがより強い圧入状態になり、結果、確実にガタ付きが防止される。尚、剛性のある部分を設ける場合、この手前に可撓性と弾力性とがある部分が連続することから、他方のコネクタハウジングの挿入中における引っ掛かりの心配はなく、また、剛性のある部分が他方のコネクタハウジングによって削られてしまうようなこともない。
【００１１】
請求項２記載の本発明のコネクタは、請求項１に記載のコネクタにおいて、前記遊動規制突条とは別で後方にずれた位置に、全体に剛性のある第二遊動規制突条を更に複数有することを特徴としている。
【００１２】
このような特徴を有する本発明によれば、他方のコネクタハウジングがより強い圧入状態で押さえ付けられ、確実にガタ付きが防止される。第二遊動規制突条は、遊動規制突条の全体が可撓性と弾力性とを有する場合の設置が好適である。第二遊動規制突条は、他方のコネクタハウジングが先ずはじめに当接する部分にテーパを形成しておけば挿入力が増大せず、また、削れることもない。
【００１３】
請求項３記載の本発明のコネクタは、請求項１又は請求項２に記載のコネクタにおいて、前記他方のコネクタハウジングの嵌合用ガイドリブを案内するための前記一方のコネクタハウジングのガイドリブ案内溝にも前記遊動規制突条を形成することを特徴としている。
【００１４】
このような特徴を有する本発明によれば、ガイドリブ案内溝での嵌合用ガイドリブのガタ付きも抑えられる。
【発明の効果】
【００１５】
請求項１に記載された本発明によれば、嵌合の際の挿入力を低くするとともに、嵌合後のハウジングガタ付きも抑えることができるという効果を奏する。また、請求項２、３に記載された本発明によれば、より一層確実にガタ付きを抑えることができるという効果をそれぞれ奏する。
【発明を実施するための最良の形態】
【００１６】
以下、図面を参照しながら説明する。図１は本発明のコネクタの一実施の形態を示す要部拡大斜視図である。また、図２は雌コネクタハウジングの正面図、図３（ａ）は図１及び図２の遊動規制突条の断面図、図３（ｂ）は遊動規制突条の他の例を示す断面図、図３（ｃ）は図３（ａ）の変形例を示す断面図、図４（ａ）は前部に可撓性と弾力性とを持たせた場合の断面図、図４（ｂ）は前部と中間部とに可撓性と弾力性とを持たせた場合の断面図、図４（ｃ）全体には可撓性と弾力性とを持たせた場合の断面図、図５は遊動規制突条と第二遊動規制突条とを有する場合の模式的な断面図である。
【００１７】
図１及び図２において、引用符号２１はコネクタを構成する雌コネクタハウジング（一方のコネクタハウジング）を示している。この雌コネクタハウジング２１には、図示しない雄コネクタハウジング（他方のコネクタハウジング）が差し込まれて嵌合する筒状の嵌合筒部２２が形成されている。嵌合筒部２２の内周面２３には、雄コネクタハウジングを圧入状態にするための遊動規制突条２４が複数形成されている。遊動規制突条２４は、図示の如く嵌合筒部２２の四隅の位置に配置形成されている（位置は一例であるものとする）。また、遊動規制突条２４は、本形態において、ガイドリブ案内溝２５にも形成されている（この位置での形成は任意であるものとする）。嵌合筒部２２における引用符号２６はロック部を示している。引用符号２７は端子収容部となっている。
【００１８】
遊動規制突条２４は、雄コネクタハウジングの差し込み方向となる嵌合方向に伸びるように形成されている。遊動規制突条２４は、嵌合筒部２２の開口縁２８近傍から奥壁２９まで真っ直ぐに伸びるように形成されている。遊動規制突条２４と嵌合筒部２２の開口縁２８との間には、雄コネクタハウジングに対する導入部分３０が形成されている。導入部分３０は、遊動規制突条２４の手前で雄コネクタハウジングと嵌合筒部２２との間にクリアランスを形成する部分として形成されている。遊動規制突条２４は、クリアランスの分の寸法よりも若干大きく突出して雄コネクタハウジングのガタ付きを抑えることができるように形成されている。
【００１９】
遊動規制突条２４には、可撓性と弾力性とを有する部分が形成されている。この可撓性と弾力性とを有する部分を挿入力低減部３１とすると、挿入力低減部３１は雄コネクタハウジングが先ずはじめに当接する遊動規制突条２４の前部を含んで形成されている。本形態においては、遊動規制突条２４の前部と、雄コネクタハウジングが通過する遊動規制突条２４の中間部とにわたって形成されている。遊動規制突条２４の後部には、剛性を有する剛性押さえ付け部３２が形成されている。
【００２０】
本形態の遊動規制突条２４は、可撓性と弾力性とを有する挿入力低減部３１が比較的長く続き、この挿入力低減部３１に対して外観形状が同じままで剛性押さえ付け部３２が連続するようになっている。外観形状に関して、遊動規制突条２４は略蒲鉾形状に形成されている。挿入力低減部３１の部分は、中空の蒲鉾形状に形成されている。挿入力低減部３１において、雄コネクタハウジングが先ずはじめに当接する部分には、テーパ３３が形成されている。テーパ３３は、導入部分３０に差し込まれた後の雄コネクタハウジングを引っ掛かりなくスムーズに案内する部分として形成されている。
【００２１】
挿入力低減部３１は、雄コネクタハウジングとの嵌合作業を開始する時点からこの挿入力低減部３１自体が撓み、これによって雄コネクタハウジングが低い挿入力で嵌合筒部２２に対し嵌合するようになっている。また、挿入力低減部３１は、撓んだままにならず元の状態に戻ろうとする力を有しており、この力によって雄コネクタハウジングを押さえ付けることができるようになっている。剛性押さえ付け部３２は、この剛性によって雄コネクタハウジングを押さえ付けることができるようになっている。
【００２２】
挿入力低減部３１は、図３（ａ）に示す如くの断面形状を有するように形成されている。尚、挿入力低減部３１は、図３（ｂ）に示す如く頂部にスリットを形成するものや、図３（ｃ）に示す如く中空部分の位置を下げたように形成するものなどが一例として挙げられる。挿入力低減部３１は、可撓性と弾力性とを有する形状であれば特に本形態の形状に限定されないものとする。
【００２３】
本形態の挿入力低減部３１は、図４（ｂ）に示す如く遊動規制突条２４の前部と中間部とにわたって形成されているが、図４（ａ）に示す如く遊動規制突条２４の前部のみや、図４（ｃ）に示す如く遊動規制突条２４の全体に形成しても良いものとする。
【００２４】
この他、図５に示す如く、全体が挿入力低減部３１となる遊動規制突条２４とは別に第二遊動規制突条３４を形成することでも良いものとする。第二遊動規制突条３４は、嵌合筒部２２の奥壁２９側に形成される剛性のある部分であって、図１に示す剛性押さえ付け部３２と同様の機能を有している。第二遊動規制突条３４は、例えば蒲鉾形状に形成されており、先端部分にはテーパ３５が形成されている。
【００２５】
上記構成において、雄コネクタハウジングを雌コネクタハウジング２１の嵌合筒部２２に差し込んで嵌合作業を開始すると、先ずはじめに遊動規制突条２４の前部、すなわち挿入力低減部３１が雄コネクタハウジングの押圧を受けて撓む。この時、挿入力低減部３１は元の状態に戻ろうとする力が働くことから雄コネクタハウジングには挿入力低減部３１からの押さえ付けの力が作用する。比較的低い挿入力で嵌合作業が開始され、雄コネクタハウジングは挿入力低減部３１を通過した後、剛性押さえ付け部３２において強固に押さえ付けられる。雄コネクタハウジングと雌コネクタハウジング２１同士の嵌合が完了した後も挿入力低減部３１をはじめとする遊動規制突条２４の全体が雄コネクタハウジングを押さえ付け、これによってガタ付きの発生が良好に抑えられる。
【００２６】
尚、内周面２３の四隅の遊動規制突条２４によって雄コネクタハウジングのローリングが抑えらる。ガタ付きやローリングに関しては、ガイドリブ案内溝２５の遊動規制突条２４も効果的である。
【００２７】
以上、本発明によれば、嵌合の際の挿入力を低くするとともに、嵌合後のハウジングガタ付きも抑えることができるという効果を奏する。
【００２８】
その他、本発明は本発明の主旨を変えない範囲で種々変更実施可能なことは勿論である。
【００２９】
例えば、上記説明では嵌合筒部２２の内周面２３に遊動規制突条２４を複数設けていたが、これに限らず雄コネクタハウジングの外周面に遊動規制突条２４を設け、嵌合筒部２２の内周面２３で遊動規制突条２４を押圧するようにしても良いものとする。また、上記説明では単にコネクタと説明したが、一般的なコネクタに限らず、防水コネクタや中継コネクタにも本発明を適用することができるものとする。
【図面の簡単な説明】
【００３０】
【図１】本発明のコネクタの一実施の形態を示す要部拡大斜視図である。
【図２】雌コネクタハウジングの正面図である。
【図３】遊動規制突条の図であり、（ａ）は図１及び図２の遊動規制突条の断面図、（ｂ）は遊動規制突条の他の例を示す断面図、（ｃ）は（ａ）の変形例を示す断面図である。
【図４】遊動規制突条の長手方向の状態を示す図であり、（ａ）は前部に可撓性と弾力性とを持たせた場合の断面図、（ｂ）は前部と中間部とに可撓性と弾力性とを持たせた場合の断面図、（ｃ）全体には可撓性と弾力性とを持たせた場合の断面図である。
【図５】遊動規制突条と第二遊動規制突条とを有する場合の模式的な断面図である。
【図６】従来例のコネクタにおける雌コネクタハウジングの正面図である。
【図７】従来例のコネクタの嵌合状態を示す図である。
【符号の説明】
【００３１】
２１  雌コネクタハウジング（一方のコネクタハウジング）
２２  嵌合筒部
２３  内周面
２４  遊動規制突条
２５  ガイドリブ案内溝
２６  ロック部
２７  端子収容部
２８  開口縁
２９  奥壁
３０  導入部分
３１  挿入力低減部
３２  剛性押さえ付け部
３３  テーパ
３４  第二遊動規制突条
３５  テーパ
【図１】
2008130467.tif 000003
【図２】
2008130467.tif 000004
【図３】
2008130467.tif 000005
【図４】
2008130467.tif 000006
【図５】
2008130467.tif 000007
【図６】
2008130467.tif 000008
【図７】
2008130467.tif 000009